(57)【要約】【課題】レシートプリンタユニットにおいてロール紙の巻き戻し時のたるみを防止する。【解決手段】ロール紙本体１ａの繰り出し動作の場合にはローラ２ａに内臓したワンウェイクラッチにより空転させて速度差ができないようにし、巻き戻し動作の場合にはロール紙１ｂの繰り出し部分を巻き戻す際に、ロール紙本体１ａを回転させる巻取フィードローラ２ａ、繰出フィードローラ２ｂに搬送速度差を与えることにより、ロール紙本体１ａとロール紙１ｂに速度差を持たせ、ロール紙１ｄのようなたるみを除々に解消させることができる。【選択図】図５
2010111467.tif 000002
【特許請求の範囲】
【請求項１】
セットされたロール紙の先端を繰出および巻取する繰出巻取機構と、
繰出される前記ロール紙の先端を該ロール紙の表面から分離させる分離機構と、
分離された先端部をカットするカット機構とを備えたロール紙カット排出装置であって、
前記繰出巻取機構は、
セットされた前記ロール紙に接触する第１フィードローラと第２フィードローラとを有し、
前記第１フィードローラは、前記ロール紙の先端部の繰出時に動力を得て繰出方向に回転し、巻取時にも動力を得て巻取方向へ回転する構成とし、
前記第２フィードローラは、前記ロール紙の先端部の繰出時または巻取時の一方で動力を得て回転し他方では動力から切り離して回転しないワンウェイクラッチに接続されている
ロール紙カット排出装置。
【請求項２】
巻取時に前記第２フィードローラが動力を得て回転する際に前記ロール紙を回転させようとする第２回転作用速度が、巻取時に前記第１フィードローラが該ロール紙を回転させようとする第１回転作用速度よりも早い構成である
請求項１記載のロール紙カット排出装置。
【請求項３】
前記ワンウェイクラッチは、前記第２フィードローラに直接設けられるか、該第２フィードローラに回転駆動力を伝える駆動力伝達部に直接設けられるか、あるいは、前記第２フィードローラと前記駆動力伝達部とが設けられているシャフトの前記第２フィードローラから前記駆動力伝達部までの間に設けられている
請求項１または２記載のロール紙カット排出装置。
【請求項４】
前記第１フィードローラと第２フィードローラは、いずれも同一のモータから供給される回転駆動力により回転する構成であり、
前記第１フィードローラは、繰出時に前記分離機構により先端部が分離される前のロール紙に接触する位置に設けられ、該繰出時に前記第２フィードローラよりも早く前記動力を得る構成であり、
前記第２フィードローラは、繰出時に前記分離機構により分離部が分離された後のロール紙本体に接触する位置に設けられ、巻取時に前記第１フィードローラよりも早く前記動力を得る構成である
請求項１、２、または３記載のロール紙カット排出装置。
【請求項５】
前記第１フィードローラの外周表面の摩擦力が前記第２フィードローラの外周表面の摩擦力よりも強くなる構成とした
請求項１から４のいずれか１つに記載のロール紙カット排出装置。
【請求項６】
請求項１から５のいずれか1つに記載のロール紙カット排出装置と、
前記分離機構により前記ロール紙の表面から分離された先端部に印刷を行う印刷機構とを備えた
レシートプリンタ。
【発明の詳細な説明】
【技術分野】
【０００１】
この発明は、例えばセットされたロール紙の先端部をカットして排出するようなロール紙カット排出装置およびこの先端部に印刷も行うレシートプリンタに関する。
【背景技術】
【０００２】
従来、レシートプリンタ等に用いられるロール紙の供給技術として、様々な技術が提案されている。
【０００３】
例えば、１つのフィードローラでロール体を巻き戻す際に、ロール体に巻回されている記録媒体の巻き緩みを防止可能にする記録媒体の供給装置が提案されている（特許文献１参照）。この供給装置は、フィードローラの配置を工夫し、これによって巻き緩みを防止している。
【０００４】
また、モータ等の駆動部品等を用いた構造の複雑化、及び制御の複雑化を招くことなく、ロール紙を逆転して用紙を巻き戻すロール紙給紙装置が提案されている（特許文献２参照）。このロール紙給紙装置は、ロール紙を巻き戻し方向に回転させるために専用の巻き戻し機構が設けられており、これによって巻き緩みを防止している。
【０００５】
他にも、動作中にロール紙のたるみが発生しないロール紙たるみ防止機構が提案されている（特許文献３参照）。このロール紙たるみ防止機構は、フロントローラとリアローラとの上にロール紙がセットされ、フロントローラ側にトルクリミッタが、リアローラ側にワンウェイギヤが設けられている。そして、先端部を繰出す際にフロントローラとリアローラの両方が駆動力を得て回転すると共に、このフロントローラの回転速度が３１／３３の比率に減速されているものである。また、このときワンウェイギヤは空転してワンウェイギヤからはフロントローラに駆動力を伝達しない。また、巻取の際にワンウェイギヤがロックしてフロントローラに駆動力を伝達し、フロントローラとリアローラの両方が等速で回転する。
【０００６】
しかし、これらの技術には未だ解決すべき課題が残っていた。  
すなわち、特許文献１記載の発明は、双方向での搬送に対応しておらず、１方向にしか搬送できないものであった。また、特許文献２記載の発明は、双方向搬送には対応できるが、巻き緩み防止のために専用の巻き戻し機構を追加しなければならなかった。
【０００７】
また、特許文献３記載の発明は、繰出用と巻取用の２つの機構（トルクリミッタとワンウェイギヤ）が存在しており、しかも繰出時と巻取時の両方でフロントローラとリアローラの両方に駆動力を与えるものであるから、構造が複雑でコストがかかるものであった。
【特許文献１】特開２００５−２８０８６１号公報
【特許文献２】特開２００３−２７６２６４号公報
【特許文献３】特開２００１−３１６００７号公報
【発明の開示】
【発明が解決しようとする課題】
【０００８】
この発明は、上記に示したように、双方向の搬送を実行し、簡潔な構成でロール紙のたるみを防止することができるロール紙カット排出装置およびレシートプリンタを提供することを目的とする。
【課題を解決するための手段】
【０００９】
この発明は、セットされたロール紙の先端を繰出および巻取する繰出巻取機構と、繰出される前記ロール紙の先端を該ロール紙の表面から分離させる分離機構と、分離された先端部をカットするカット機構とを備えたロール紙カット排出装置であって、前記繰出巻取機構は、セットされた前記ロール紙に接触する第１フィードローラと第２フィードローラとを有し、前記第１フィードローラは、前記ロール紙の先端部の繰出時に動力を得て繰出方向に回転し、巻取時にも動力を得て巻取方向へ回転する構成とし、前記第２フィードローラは、前記ロール紙の先端部の繰出時または巻取時の一方で動力を得て回転し他方では動力から切り離して回転しないワンウェイクラッチに接続されているロール紙カット排出装置であることを特徴とする。
【００１０】
この発明の態様として、巻取時に前記第２フィードローラが動力を得て回転する際に前記ロール紙を回転させようとする第２回転作用速度は、巻取時に前記第１フィードローラが該ロール紙を回転させようとする第１回転作用速度よりも早くなるように構成されている。
【発明の効果】
【００１１】
この発明により、双方向の搬送を実行し、簡潔な構成でロール紙のたるみを防止することができる。
【発明を実施するための最良の形態】
【００１２】
この発明の一実施形態を以下図面と共に説明する。  
図１は、ロール紙１を装填した直後のレシートプリンタＡ（ロール紙カット排出装置）の全体概略図であり、図２は、繰り出した直後のレシートプリンタＡの全体概略図であり、図３はワンウェイクラッチ１５の概略構成を斜視図により説明する説明図であり、図４および図５は主要部の概略図である。
【００１３】
図１に示すように、レシートプリンタＡは、主にロール紙収容本体部Ｂと、ロール紙１から切り離されたカット紙１ｃを放出するカット紙放出部Ｃとで構成されている。
【００１４】
ロール紙収容本体部Ｂは、主に、ロール紙１が載置される巻取フィードローラ２ａおよび繰出フィードローラ２ｂと、搬送ローラ２ｃと、ギヤプーリ８と、これらに回転駆動力を付与するモータ４ａと、これらに張架されてモータ４ａの回転駆動力を伝達する駆動ベルト５ａと、印刷ユニット９と、プラテンユニット１０とを有している。
【００１５】
第２フィードローラとしての巻取フィードローラ２ａおよび第１フィードローラとしての繰出フィードローラ２ｂは、ほぼ水平位置に並行配置され、両者の間隔がロール紙本体１ａの直径Ｌ１よりも短く、かつロール紙本体１ａの芯の直径Ｌ２よりも長くなるように配置されて、繰出巻取機構として機能する。これにより、巻取フィードローラ２ａおよび繰出フィードローラ２ｂの上にロール紙本体１ａを安定して載置でき、かつ巻取フィードローラ２ａや繰出フィードローラ２ｂの回転によってロール紙本体１ａを回転できるようにしている。
【００１６】
また、巻取フィードローラ２ａは、図３（Ａ）に示すように、外周形成部１６の内側にワンウェイクラッチ１５が内蔵されて構成されている。詳述すると、図３（Ｂ）に示すように、巻取フィードローラ２ａは、ワンウェイクラッチ１５を介してシャフト２１に設けられており、このシャフト２１に駆動力伝達部としてのローラ２２が設けられている。そして、ローラ２２が駆動ベルト５ａによって回転駆動されると、これに伴ってシャフト２１および巻取フィードローラ２ａが回転する構成である。
【００１７】
この構成により、モータ４ａから駆動ベルト５ａを介して巻取方向の駆動力を得るとワンウェイクラッチ１５がロックされて矢印方向１７に回転駆動してロール紙本体１ａを回転させ、モータ４ａから駆動ベルト５ａを介して繰出方向の駆動力を得てもワンウェイクラッチ１５が空転してロール紙本体１ａに作用しないようになっている。
【００１８】
なお、ワンウェイクラッチ１５は、巻取フィードローラ２ａに限らず、巻取フィードローラ２ａを回転駆動するために駆動ベルト５ａと接触するローラ２２（あるいはギヤ）に設ける、あるいは、このローラ２２またはギヤから巻取フィードローラ２ａまでの適宜の位置（例えばシャフト２１内）に設けるなど、モータ４ａからの回転駆動力が巻取フィードローラ２ａに伝達されるまでの間に設ければよい。このような構成でも、ワンウェイクラッチ１５を巻取フィードローラ２ａに設けた場合と同じ効果を得ることができる。
【００１９】
また、巻取フィードローラ２ａは、繰出フィードローラ２ｂよりも硬いゴムあるいはプラスチック等により構成し、繰出フィードローラ２ｂは、巻取フィードローラ２ａよりも軟らかいゴム等により構成されている。このように、巻取フィードローラ２ａによる摩擦力を繰出フィードローラ２ｂによる摩擦力よりも弱くしているため、巻取フィードローラ２ａは、必要に応じてすべるようになっている。なお、この摩擦力の違いは、材質の違いによって実現することに限らず、ローラ幅の違いやローラ個数の違いによってロール紙本体１ａとの接触面積を異ならせることで実現するなど、他の構成によって実現してもよい。
【００２０】
また、図２に示すようにロール紙本体１ａを回転させようとする巻取フィードローラ２ａの搬送速度（回転する巻取フィードローラ２ａの外周面の速度）は、巻取方向に回転する際に、繰出フィードローラ２ｂの搬送速度（回転する繰出フィードローラ２ｂの外周面の速度）よりも早くなるように構成されている。具体的には、巻取フィードローラ２ａのローラ径Ｌ３（図４参照）が、繰出フィードローラ２ｂおよび搬送ローラ２ｃのローラ径Ｌ４よりも大きく構成されている。繰出フィードローラ２ｂおよび搬送ローラ２ｃのローラ径Ｌ４，Ｌ５は同一の大きさに構成されており、繰出時に安定した速度で繰出および搬送でき、巻取時にも安定した速度で搬送および巻取できるように構成されている。
【００２１】
搬送ローラ２ｃは、巻取フィードローラ２ａの下方に配置され、該搬送ローラ２ｃに対向して従動ローラ３ａが接触するように配置あるいは近接配置されている。この搬送ローラ２ｃと従動ローラ３ａから繰出フィードローラ２ｂまでの間には、搬送路７が設けられている。また、この搬送路７の上部位置には、ロール紙本体１ａからロール紙の表面から先端部をめくるように分離する分離機構としての分離ユニット６が設けられている。これにより、図２に示すように、ロール紙本体１ａから分離ユニット６により分離された先端部であるロール紙繰出部１ｂが搬送路７を搬送され、搬送ローラ２ｃと従動ローラ３ａとで挟持されて後段の印刷機構としての印刷ユニット９へ搬送される。
【００２２】
印刷ユニット９は、適宜の情報を印刷するユニットであり、搬送されてきたロール紙繰出部１ｂに必要な情報を印刷する。  
プラテンユニット１０は、ロール紙収容本体部Ｂにおけるカット紙放出部Ｃとの連結部近傍に設けられ、ギヤプーリ８の回転駆動力を得てロール紙繰出部１ｂをカット紙放出部Ｃへ搬送する。
【００２３】
このように構成されているロール紙収容本体部Ｂは、１つのモータ４ａの駆動力を駆動ベルト５ａによって伝達することで繰り出しおよび搬送を全て実行する。  
詳述すると、図１に示すように、モータ４ａの繰出方向に見た場合、モータ４ａの後段には、駆動ベルト５ａにより繰出フィードローラ２ｂ、搬送ローラ２ｃ、ギヤプーリ８、および巻取フィードローラ２ａがこの順で連結されている。
【００２４】
そして、図１に点線の矢印で示すように、モータ４ａを繰出方向に回転させると、弾性力を有する駆動ベルト５ａによる駆動力の伝達が、モータ４ａからの距離（駆動ベルト５ａの長さ）が最も短い繰出フィードローラ２ｂに最初に伝達され、この繰出フィードローラ２ｂから回転し始める。他の搬送ローラ２ｃ、ギヤプーリ８、および巻取フィードローラ２ａは、伝達がわずかに遅れるため、わずかに遅れて回転し始める。ただしこのとき巻取フィードローラ２ａは、ワンウェイクラッチ１５の空転によりモータ４ａの駆動力の影響を受けず、ロール紙本体１ａの回転に合わせてつりまわりするだけである。
【００２５】
また、逆にモータ４ａの巻取方向に見た場合、図２に示すように、モータ４ａの後段には、駆動ベルト５ａにより巻取フィードローラ２ａ、ギヤプーリ８、搬送ローラ２ｃ、および繰出フィードローラ２ｂがこの順で連結されている。
【００２６】
この場合も、モータ４ａを巻取方向に回転させると、図２に点線の矢印で示すように、モータ４ａからの距離が最も短い繰出フィードローラ２ｂに最初に伝達され、この繰出フィードローラ２ｂから回転を始める。他の巻取フィードローラ２ａ、ギヤプーリ８、および搬送ローラ２ｃは、伝達がわずかに遅れるため、わずかに遅れて回転し始める。
【００２７】
このように、駆動力の伝達順により、各ローラの回転開始に多少のずれが生じ、モータ４ａから見て距離が離れるほど回転開始にわずかな遅延が生じる。
【００２８】
カット紙放出部Ｃは、上述したロール紙収容本体部Ｂから搬送されてきて受け入れたロール紙繰出部１ｂを搬送幅方向に切断するカット機構としてのカッタユニット１１と、搬送機構として機能する搬送ローラ２ｄ，２ｅ，２ｆと、これらに回転駆動力を付与するモータ４ｂと、これらに張架されてモータ４ｂの回転駆動力を伝達する駆動ベルト５ｂと、排出部１２とで構成されている。
【００２９】
カッタユニット１１は、ロール紙繰出部１ｂを所定の長さで幅方向に切断し、これをカット紙１ｃとしてロール紙本体１ａから切り取る。  
搬送ローラ２ｄ，２ｅ，２ｆは、それぞれに対向配置された従動ローラ３ｂ，３ｃ，３ｄによりカット紙１ｃを挟持して搬送し、排出部１２から排出する。この搬送ローラ２ｄ，２ｅ，２ｆは、駆動ベルト５ｂを介してモータ４ｂの回転駆動力が伝達され、これによって回転駆動する。
【００３０】
次に、図４および図５に示す主要部の概略図と共に、レシートプリンタＡの動作概要について説明する。
【００３１】
ロール紙本体１ａは巻取フィードローラ２ａと繰出フィードローラ２ｂとで支えられるようにロールの状態でセットされる。巻取フィードローラ２ａと繰出フィードローラ２ｂの中間には、ロール紙本体１ａの先端をロールから分離させる為の分離ユニット６がある。
【００３２】
ロール紙本体１ａの繰り出し動作を行う場合、まず、モータ４ａを回転させることにより駆動ベルト５ａを駆動させ、繰出フィードローラ２ｂ、搬送ローラ２ｃ、ギヤプーリ８、および巻取フィードローラ２ａを回転させる。
【００３３】
ロール紙本体１ａは、先端が分離ユニット６に到達した時にロール紙繰出部１ｂがロール紙本体１ａの表面から分離され、該ロール紙繰出部１ｂが搬送路７に搬送される。搬送されたロール紙繰出部１ｂは搬送ローラ２ｃを通過して印刷ユニット９により印刷され、カッタユニット１１により規定の長さに切り離される。
【００３４】
切り離されたカット紙１ｃは、モータ４ｂが回転駆動することによる駆動ベルト５ｂの駆動に基づく搬送ローラ２ｄ、２ｅ、２ｆの回転によって搬送させ、排出部１２より排出されて、図２に示したようにカット紙１ｃを排出部１２から抜き取り可能な状態になる。
【００３５】
切り離された後に残留しているロール紙繰出部１ｂは、繰出方向と逆の巻取方向に回転駆動するモータ４ａにより、巻取フィードローラ２ａ、ギヤプーリ８、搬送ローラ２ｃ、および繰出フィードローラ２ｂが巻取方向へ回転することにより巻き戻される。
【００３６】
次に本発明の特徴点の機能、作用、および効果を詳細に説明する。なお、本発明は、レシートプリンタＡにおける特にカットするまでの搬送機構についてのものであり、分離、印刷、カット、カット後の搬送等については、周知の技術によるものとする。
【００３７】
図１、２、４、５に示すように、巻取フィードローラ２ａは、右方向（図示時計回り）に回転する時のみ駆動を伝達することができ、巻取フィードローラ２ａが左回転（図示反時計回り）する時は空回りするように配置してある。繰出フィードローラ２ｂ、搬送ローラ２ｃは相方向に駆動する搬送ローラである。また、巻取フィードローラ２ａのローラ径Ｌ３を繰出フィードローラ２ｂ、搬送ローラ２ｃのローラ径Ｌ４，Ｌ５と比較して少し大きくし、駆動した時は搬送速度が速くなるようにしてある。
【００３８】
ロール紙本体１ａの繰り出し動作を行う場合、ロール紙本体１ａがロールの状態であり、ロール紙１ｂがロール紙本体１ａから分離され搬送ローラ２ｃに届くまで巻取フィードローラ２ａ、繰出フィードローラ２ｂによって搬送を行う。
【００３９】
ただし、巻取フィードローラ２ａはワンウェイクラッチ１５により空転する為、ロール紙本体１ａの回転に合わせて動作するのみとなり、ロール紙本体１ａから見れば単なるガイドの役割をするのみとなる。この場合、ロール紙本体１ａを駆動させる為の駆動ローラは、繰出フィードローラ２ｂのみである。また、この場合、ロール紙本体１ａの最外周を繰出フィードローラ２ｂにより駆動させているだけである。このため、ロール紙本体１ａ自体は、繰出フィードローラ２ｂの搬送速度１３ｂ（第２回転作用速度）に合わせ回転するだけである。つまり、ロール紙本体１ａの搬送速度１３ａは、繰出フィードローラ２ｂの搬送速度１３ｂによって制御されているだけであり、巻取フィードローラ２ａの搬送速度１３ｂとロール紙本体１ａの搬送速度１３ａ、および巻取フィードローラ２ａの搬送速度１３ｃは同期する。よって、たるみが発生することはない。ロール紙本体１ａから引き出されたロール紙１ｂが搬送ローラ２ｃに届いた場合でもロール紙本体１ａに回転を与えるのは繰出フィードローラ２ｂのみである為、特にたるみは発生しない。
【００４０】
次に印刷カット後に引き出されたロール紙１ｂの巻き戻し動作を行う時について説明する。繰り出されたロール紙１ｂを巻き戻す場合は、巻取フィードローラ２ａ、繰出フィードローラ２ｂ、搬送ローラ２ｃを右方向（図示時計回り方向）に回す。この時、巻取フィードローラ２ａは、駆動ローラとなる。
【００４１】
ここで、繰り出されたロール紙１ｂを再びロール紙本体１ａに巻き付けようとした時、繰出フィードローラ２ｂの搬送速度と搬送ローラ２ｃの搬送速度にばらつきが発生することがある。具体的には、駆動ベルト５ａやギヤプーリ８のガタ等によりロール紙本体１ａの回転し始める時間と繰り出したロール紙１ｂが搬送を開始し始めた時間にタイムラグ等が発生する場合や、繰出フィードローラ２ｂ、搬送ローラ２ｃの微妙な個体差等によりロール紙１ｂの搬送速度にばらつきが発生してしまった場合がある。このように搬送速度にばらつきが発生すると、繰り出したロール紙１ｂが繰出フィードローラ２ｂを過ぎたところでロール紙本体１ａの最外周に沿わず、ロール紙１ｄ（図５参照）のようなたるみが発生することになる。
【００４２】
これに対し、本動作では、ロール紙本体１ａの搬送速度１４ａが主として巻取フィードローラ２ａの搬送速度１４ｃによって制御され、ロール紙１ｂの搬送速度１４ｄが主として繰出フィードローラ２ｂの搬送速度１４ｂ（第１回転作用速度）により制御されている。そして、巻取フィードローラ２ａの搬送速度１４ｃは繰出フィードローラ２ｂの搬送速度１４ｂよりも速く設定されている。このため、巻き戻し動作を続行すると、ロール紙本体１ａの搬送速度の方がロール紙１ｂの搬送速度よりも速くなる。そうすると、ロール紙１ｄのたるんだ部分への繰出フィードローラ２ｂによる送り込み量に対し、巻取フィードローラ２ａによりロール紙１ｄがロール紙本体１ａに巻き取られる速度の方が速くなる。
【００４３】
よって、巻き戻し動作初期に発生したロール紙１ｄのたるみは、除々に取り除かれていき、完全に除かれるとロール紙１ｄがロール紙本体１ａの最外周に沿う。ロール紙１ｄがロールの最外周に沿ってたるみが無くなった後は、ロール紙本体１ａの搬送速度１４ａとロール紙１ｂの搬送速度１４ｂは同速度になる。このとき、ロール紙１ｂの表面と巻取フィードローラ２ａの表面の接触部がすべることにより、たるみを防止する状態で搬送（巻き取り）を続けることができる。このすべりは、巻取フィードローラ２ａの摩擦力が繰出フィードローラ２ｂの摩擦力よりも弱い構成によるものである。
【００４４】
以上の構成および動作により、レシートプリンタＡは、ロール紙１の巻き取りを行う時に、繰出フィードローラ２ｂよりも巻取フィードローラ２ａの方が搬送速度が速くなる為、ロール紙たるみ部１ｄが発生してこのたるみが残ることを防止できる。すなわち、繰出フィードローラ２ｂにより巻取方向に回転するロール紙本体１ａよりも、巻取フィードローラ２ａにより巻取方向に回転するロール紙たるみ部１ｄの方が早く巻き取られ、たるみが発生してもこのたるみを解消することができる。従って、ロール紙１からカット紙１ｃを繰り出して巻き戻す毎に巻き緩みが蓄積され、大きくなった巻き緩みによってロール紙１が詰まって回転しなくなるといったトラブルを防止できる。
【００４５】
また、ワンウェイクラッチ１５を巻取フィードローラ２ａの中に設けたため、１つのモータ４ａによる回転駆動力のみを用いて、巻取フィードローラ２ａおよび繰出フィードローラ２ｂの巻取時の搬送速度に差をつけ、また繰出フィードローラ２ｂにより支障なく繰り出すことができる。
【００４６】
また、レシートプリンタＡの繰り出しと巻き取りの基本構造は、２つのローラ（巻取フィードローラ２ａと繰出フィードローラ２ｂ）の上にロール紙１をセットし、この２つのローラ（２ａ，２ｂ）によってロール紙１の先端部の繰り出しと巻き取りを実行する構造となっている。この基本構造に対し、巻取フィードローラ２ａのローラ径Ｌ３を大きくすると共にワンウェイクラッチを内蔵させるという非常に簡潔な構成により巻き緩みを防止することができるため、コストダウンを図ることができると共に、レシートプリンタＡを大型化させることなく小型に製造することができる。
【００４７】
従って、巻き緩みを防止できる高性能なレシートプリンタＡを小型で安価に提供することができる。
【００４８】
なお、以上の実施形態では、巻取フィードローラ２ａのローラ径Ｌ３を繰出フィードローラ２ｂおよび搬送ローラ２ｃのローラ径Ｌ４，Ｌ５と異ならせることで搬送速度を変化させたが、これに限らず、他の構成によって搬送速度を異ならせてもよい。例えば、駆動ベルト５ａに連結するプーリの大きさやギヤの歯数等により速度差を与える構成にしてもよい。
【００４９】
また、巻取フィードローラ２ａに内蔵する１ウェイクラッチをトルクリミッタ付きのものにしてもよい。この場合、空転作用については上述した実施形態と同じように利用でき、巻取フィードローラ２ａによってたるみを除去した後に、ロール紙本体１ａに接触している接触部をすべらすことなくたるみ防止して搬送することができる。
【００５０】
また、また、巻取フィードローラ２ａや繰出フィードローラ２ｂ等のローラの材質は、ロール紙１にある程度の摩擦を与えることができる素材であれば特に問題ない。
【００５１】
この発明は、上述の実施形態の構成のみに限定されるものではなく、多くの実施の形態を得ることができる。
【図面の簡単な説明】
【００５２】
【図１】ロール紙を装填した直後のレシートプリンタの全体概略図。
【図２】繰り出した直後のレシートプリンタの全体概略図。
【図３】ワンウェイクラッチの概略構成を斜視図により説明する説明図。
【図４】レシートプリンタの主要部の概略図。
【図５】レシートプリンタの主要部の概略図。
【符号の説明】
【００５３】
１…ロール紙、１ｂ…ロール紙繰出部、２ａ…巻取フィードローラ、２ｂ…繰出フィードローラ、６…分離ユニット、９…印刷ユニット、１１…カッタユニット、１３ｂ…搬送速度、１４ｂ…搬送速度、１５…ワンウェイクラッチ、２１…シャフト、２２…ローラ、Ａ…レシートプリンタ
【図１】
2010111467.tif 000003
【図２】
2010111467.tif 000004
【図３】
2010111467.tif 000005
【図４】
2010111467.tif 000006
【図５】
2010111467.tif 000007